(57)【特許請求の範囲】
【請求項１】
主流体（Ａ1）と少なくとも第１の副流体（Ｂ1）および第２の副流体（Ｂ2）とを含む数種の流体の注入および／または抜取りを行う装置（ＤＭＥ）であって、
少なくとも１つの混合室（７）と連絡している、前記主流体（Ａ1）を収集する手段（３、４）と、前記第１の副流体（Ｂ1）用の少なくとも１つの第１の注入および／または抜取り回路（１２、５）と、前記第２の副流体（Ｂ2）用の少なくとも１つの第２の注入および／または抜取り回路（１３、６）と、前記混合室から出る前記流体を再配分する手段（８、９）とを有する装置において、
前記第１の副流体（Ｂ1）用の少なくとも１つの第１の注入および／または抜取り回路（１２、５）と、前記第２の副流体（Ｂ2）用の少なくとも１つの第２の注入および／または抜取り回路（１３、６）は、前記第１および第２の副流体（Ｂ1、Ｂ2）を前記混合室（７）へ向けて通過させる、または前記第１および第２の副流体（Ｂ1、Ｂ2）を前記混合室（７）から通過させる１つまたは複数の開口（１５、１６）によって、前記混合室（７）と連絡しており、
前記混合室（７）は、前記主流体（Ａ1）用の少なくとも１つの入口オリフィス（１４）と少なくとも１つの出口オリフィス（１７）とを有し、
前記第１の副流体（Ｂ1）用の少なくとも１つの第１の注入および／または抜取り回路（１２、５）と、前記第２の副流体（Ｂ2）用の少なくとも１つの第２の注入および／または抜取り回路（１３、６）とは別々であり、かつ、前記数種の流体の注入および／または抜取りを行う装置が中に配置される管の軸にほぼ平行な方向の、前記混合室の少なくとも１つの隔壁に沿って、該混合室の近傍に配置されている
ことを特徴とする装置。
【請求項２】
互いに別々になっている前記第１の注入および／または抜取り回路と前記第２の注入および／または抜取り回路とは、前記混合室の同じ隔壁に配置されている、請求項１に記載の装置。
【請求項３】
前記各注入および／または抜取り回路は、前記混合室の１つまたは複数の壁に沿って配置されている、請求項１に記載の装置。
【請求項４】
前記注入および／または抜取り回路の数は少なくとも４つである、請求項１から３のいずれか１項に記載の装置。
【請求項５】
少なくとも１つの前記注入および／または抜取り回路は、少なくとも１つの注入および／または抜取り予備回路と連絡されている、請求項１から４のいずれか１項に記載の装置。
【請求項６】
前記混合室は、前記流体を通過させる１つのオリフィスを有し該混合室を数個の副混合室に分割する少なくとも１つのバッフルを有する、請求項１から５のいずれか１項に記載の装置。
【請求項７】
前記各種混合室または前記各種回路の隔壁に沿って配置された、１つのオリフィス、または、オリフィスが設けられた面に垂直に該オリフィスの中心を通る軸同士が互いにずれるように設けられている複数のオリフィスによって、前記各注入および／または抜取り回路と各注入および／または抜取り予備回路とが前記混合室と連絡し、または、１つまたは複数の前記オリフィスによって、前記各注入および／または抜取り回路と各注入および／または抜取り予備回路とが各副混合室と連絡し、または、１つまたは複数の前記オリフィスによって、前記各注入および／または抜取り回路と各注入および／または抜取り予備回路とが互いに連絡している、請求項１から６のいずれか１項に記載の装置。
【請求項８】
前記収集手段は、前記数種の流体の注入および／または抜取りを行う装置の横断面のほぼ全体にわたって延びている収集用格子（３）および／または収集スペース（４）を有し、該収集用格子（３）および該収集スペース（４）の少なくとも１つは、前記混合室（７）に入る前の前記主流体の各流線の行程時間の差を最小にするように、前記管の軸に垂直な平面に対して傾斜した形状、円錐形状、またはボウル形状を有し、
前記再配分手段は、前記数種の流体の注入および／または抜取りを行う装置の横断面のほぼ全体にわたって延びている少なくとも１つの再配分用格子（９）および／または再配分スペース（８）を有し、該再配分用格子（９）および該再配分スペース（８）の少なくとも１つは、前記混合室を出た後の前記主流体の各流線の行程時間の差を最小にするように、前記管の軸に垂直な平面に対して傾斜した形状、円錐形状、またはボウル形状を有する、請求項１から７のいずれか１項に記載の装置。
【請求項９】
前記第１の注入および／または抜取り回路（５）は、該第１の注入および／または抜取り回路と前記混合室とに共通する第１の共通隔壁に設けられている１つまたは複数の開口（Ｏ1）を有し、前記第２の注入および／または抜取り回路（６）は、該第２の注入および／または抜取り回路と前記混合室とに共通する第２の共通隔壁に設けられている１つまたは複数の開口（Ｏ2）を有し、前記各開口（Ｏ1，Ｏ2）の、該開口（Ｏ1，Ｏ2）が設けられた面に垂直に該開口（Ｏ1，Ｏ2）の中心を通る軸の方向は、該開口をそれぞれ通過する前記流体が少なくとも前記混合室の隔壁の、前記開口以外の部分に到達するように選択されている、請求項１から８のいずれか１項に記載の装置。
【請求項１０】
前記第１の（または第２の）共通隔壁に設けられている前記各開口の、該開口が設けられた面に垂直に該開口の中心を通る軸は、前記混合室の前記第２の（または第１の）共通隔壁の、前記開口以外の部分に向けられている、請求項９に記載の装置。
【請求項１１】
向かい合った２つの隔壁の間の前記混合および／または抜取り室の幅は１０から１００ｍｍまでの範囲である、請求項１から１０のいずれか１項に記載の装置。
【請求項１２】
前記収集手段は収集スペースを、前記再配分手段は再配分スペースをそれぞれ有し、少なくとも１つのバッフル装置が前記スペースの少なくともいずれか１つに配置されている、請求項１から１１のいずれか１項に記載の装置。
【請求項１３】
少なくとも１つの共通隔壁と、前記混合室に連絡する複数の連絡オリフィスとを持つように、前記混合および／または抜取り室と関連して設けられている少なくとも４つの注入および／または抜取り回路を有し、前記共通隔壁に設けられている前記各オリフィスの、該オリフィスが設けられた面に垂直に該オリフィスの中心を通る軸は、該混合および／または抜取り室の他の隔壁であって、前記混合および／または抜取り室と共通しない隔壁の、開口以外の部分に、前記流体が当たるように向けられている、請求項１から１２のいずれか１項に記載の装置。
【請求項１４】
前記混合および／または抜取り室は、乱流を促進する手段を内部に有する、請求項１から１３のいずれか１項に記載の装置。
【請求項１５】
主流体（Ａ1）と少なくとも第１の副流体（Ｂ1）および第２の副流体（Ｂ2）とを含む数種の流体の注入および／または抜取りを行う装置であって、
前記主流体（Ａ1）を収集する手段（３、４）であって、混合室（７）の第１の隔壁（７ｓ）に設置された１つまたは複数の入口オリフィス（Ｏｐ）によって、少なくとも１つの該混合室（７）に接続している収集手段と、
第１の副流体（Ｂ1）用の少なくとも１つの第１の注入および／または抜取り回路（１２、５）と、
第２の副流体（Ｂ2）用の少なくとも１つの第２の注入および／または抜取り回路（１３、６）と、
を有し、
前記混合室（７）の前記第１の隔壁（７ｓ）は前記収集手段と該混合室（７）との境界に位置し、該混合室（７）は、第１の隔壁（７ｓ）の反対側に位置する第２の隔壁（７ｉ）に１つまたは複数の出口開口（Ｏｍ）を備えており、
前記第１の注入および／または抜取り回路（５）と前記第２の注入および／または抜取り回路（６）はおのおの、前記混合室（７）と共通する第１の共通隔壁（５ａ、５ｂ、５ｃ、５ｄ、５ｅ）と第２の共通隔壁（６ａ、６ｂ、６ｃ、６ｄ、６ｅ）を有し、かつ、前記第１および第２の共通隔壁のおのおのに設けられている１つまたは複数の開口（Ｏ1、Ｏ2）によって前記混合室（７）と連絡している、装置において、
該第１の（または第２の）共通隔壁に設けられている前記開口（Ｏ1、Ｏ2）の、該開口が設けられた面に垂直に該開口の中心を通る各軸の方向は、前記開口を通過する流体が前記混合室の前記共通隔壁の該開口以外の部分に到達するように選択されている
ことを特徴とする装置。
【請求項１６】
少なくとも１つの、数種の流体の注入および／または抜取りを行う装置によって分離される、少なくとも第１の粒状体層および第２の粒状体層を有し、少なくとも数種の分離可能な化合物を含む流体から１つの物質を分離することができる管であって、
前記数種の流体の注入および／または抜取りを行う装置は、少なくとも１つの混合室（７）と連絡している、分離される前記物質を収集する手段（３、４）と、第１の副流体（Ｂ1）用の少なくとも１つの第１の注入および／または抜取り回路（１２、５）と、第２の副流体（Ｂ2）用の少なくとも１つの第２の注入および／または抜取り回路（１３、６）と、前記混合室から出る前記流体を再配分する手段（８、９）とを有し、
前記混合室は、少なくとも１つの入口オリフィス（１４）と少なくとも１つの出口オリフィス（１７）とを有し、
前記第１の注入および／または抜取り回路（１２、５）と前記第２の注入および／または抜取り回路（１３、６）は、前記第１および第２の副流体（Ｂ1、Ｂ2）を前記混合室（７）内へ向けて通過させる、または前記第１および第２の副流体（Ｂ1、Ｂ2）を前記混合室（７）から通過させる１つまたは複数の開口（１５、１６）によって前記混合室（７）と連絡している、管において、
前記第１の注入および／または抜取り回路（１２、５）と前記第２の注入および／または抜取り回路（１３、６）とは別々であり、かつ、前記管の軸にほぼ平行な方向の、前記混合室の少なくとも１つの隔壁に沿って、該混合室の近傍に配置されている
ことを特徴とする管。
【請求項１７】
前記管は、前記混合室の少なくとも１つの隔壁に沿って配置されている少なくとも４つの独立した注入および／または抜取り回路を有する少なくとも１つの、前記数種の流体の注入および／または抜取りを行う装置を有し、前記混合室の前記隔壁は該管の軸にほぼ平行な方向を有する、請求項１６に記載の管。
【請求項１８】
前記数種の流体の注入および／または抜取りを行う装置の前記混合室は、前記流体を通過させる少なくとも１つのオリフィスを有し該混合室を数種の副混合室に分割する少なくとも１つのバッフルを有する、請求項１７に記載の管。
【請求項１９】
前記収集手段および／または再配分手段は、粒状体層の少なくとも一部を通り抜けた各流線の前記混合室に入る前の行程時間の差を最小にし、および／または、前記混合室から出て前記数種の流体の注入および／または抜取りを行う装置の下流に配置されている第２の粒状体層に入るまでの前記各流線の行程時間を均等にするように、前記管の軸に垂直な平面に対して傾斜した形状、円錐形状、またはボウル形状を有する、請求項１６から１８のいずれか１項に記載の管。
【請求項２０】
前記管は、前記流体が前記数種の流体の注入および／または抜取りを行う装置の前記混合室を通るように、複数の、前記数種の流体の注入および／または抜取りを行う装置と、前記数種の流体の注入および／または抜取りを行う装置同士の間、および該数種の流体の注入および／または抜取りを行う装置と前記管の前記外壁との間の密封手段とを有する、請求項１６または１７に記載の管。
【請求項２１】
前記管は、該管の外側から、１つの流体用の少なくとも１つの注入および／または抜取室への、少なくとも１つの主流体配分導管を有し、該導管は、分岐手段によって少なくとも１つの前記注入および／または抜取室に連結され、該管の外壁を貫通する、請求項２０に記載の管。
【請求項２２】
少なくとも数種の分離可能な化合物を含む流体から少なくとも１つの物質を分離する、少なくとも１つの、請求項１５に記載の数種の流体の注入および／または抜取りを行う装置を含む管であって、前記少なくとも１つの、数種の流体の注入および／または抜取りを行う装置によって分離された少なくとも第１の粒状体層および第２の粒状体層を有する管。
【請求項２３】
少なくとも数種の分離可能な化合物を含む流体から少なくとも１つの物質を分離する、請求項１から１５のいずれか１項に記載の数種の流体の注入および／または抜取りを行う装置を含む管において、
管の長手方向の１つの軸にほぼ沿って配置された少なくとも１つの支持手段（Ｐｃ）と、
該支持手段（Ｐｃ）に接続された１つまたは複数の主ビーム（Ｐ）と、
前記支持手段の周りの任意の所定断面内および前記主ビームの上に配置され、密封手段によって互いに分離され、第１の粒状体層と第２の粒状体層の間に配置され、前記主ビームは該第２の粒状体層の中に埋められている、複数の、前記数種の流体の注入および／または抜取りを行う装置と、
注入および／または抜取り回路への液体の配分および／または抜取りを行う、少なくとも１つの主要手段との組み合わせを有する
ことを特徴とする管。
【請求項２４】
クロマトグラフィにより物質を分離するのに用いられる、請求項１６から２３のいずれか１項に記載の管。
【発明の詳細な説明】
【０００１】
【発明の属する技術分野】
本発明は、幾つかの流体、少なくとも１つの主流体と少なくとも２つの他の副流体との配分、混合、注入および／または抜取りを可能にする装置、すなわち略称ＤＭＥと、その方法に関する。
【０００２】
本発明は特に、ガス状、液状または超臨界状態の流体に対するクロマトグラフィの分野に応用される。
【０００３】
【従来の技術】
例えば幾つかの様々な化合物を含む物質、または異性体を含む物質を分別するのに、蒸留による分別法が有効ではないとき、疑似可動層システムを利用することができ、またそれが普通である。
【０００４】
このように、以後ＤＭＥという略称で呼ばれる本発明による装置は、例えば有利な方法として幾つかの粒状体層を含む管の中において、例えばこれらの層のうちの２層の間に配置される。このＤＭＥは、管の断面全体にわたって、追加されたかまたは抜き取られる全ての流体を配分するかまたは収集する機能を有する。また、他の流体が追加されるか、または抜き取られたとき、粒状体層内を循環している流体を再混合する機能も有する。同一の管の内部に、幾つかのＤＭＥ装置を配分することも可能である。
【０００５】
クロマトグラフィ法は一般的に、クロマトグラフィ管の内部を循環している副流体と呼ばれる幾つかの流体を利用し、主流体すなわち分別される物質からこれらの副流体を分離する。
【０００６】
これらの副流体は異なる様々な性質を備えていることもあり、そして例えばＤＭＥのある位置で、管から抜き出されるかまたは管内に注入される。
【０００７】
これらの流体が様々な性質を持っていることは、１つの流体が他の流体と接触することもあり、例えば汚染の可能性も生じてくるので、様々な副流体に共通する注入および／または抜取り回路が利用される場合は、洗浄という余分な作業が必要になる。
【０００８】
更に、クロマトグラフィの作業中、特に第１の流体の抜取り作業の終了時に、その流体の詰まりまたは残余が残存していることがあって、これは第２の流体の抜取りおよび／または注入を行う前に除去しておく必要がある。
【０００９】
このために、準備作業の１つは管内の残存物を押し出すかまたは抜き出すことである。
【００１０】
通常、循環回路を清掃および／または浄化するために行われる洗浄作業は、管内で実施される工程の段階を益々複雑にし、その費用を増大させ、そしてその生産性を低下させる恐れがある。
【００１１】
そのうえ、幾つかの工程では、流体の配分または収集はできるだけ均一な層内を循環させて行われることが非常に重要である。
【００１２】
特に、疑似逆流で作動されることが最も多く、また多くの場合大きな直径または断面を有する複数の管を連結して用い、そして多数の分離段階を含む疑似可動層におけるクロマトグラフィの分野では、ＤＭＥの内部に形成される混合物の再配分と同様に、一方ではできるだけ均一になるよう主流体（Ａ）の収集を確保し、そして他方では１つまたは幾つかの副流体の配分および／または抜取りを確保するために、それぞれの分離段階の間に１つのＤＭＥを配置することが、必要であると判明している。
【００１３】
したがって、ピストンタイプの流れを維持して、管内の主流体の伝搬をできるだけ均一にすることが非常に重要である。これを達成するための手段の１つは、流れている流体の様々な流束線、または流体の様々な粒子間において、これらが混合室に入る前のそれぞれの行程時間の差を最小にすることである。というのも、これらの流束線は、管内部におけるその循環回路の位置に応じて異なる様々な行程距離と行程時間とを持つことになるからである。なお、この回路は例えば管の軸との関連で（または管の複数の隔壁の１つとの関連で）、また混合室の位置、より特殊的には流体の通過を可能にする混合室の開口の位置との関連によって参照符号を付けられている。
【００１４】
例えば、混合室が管のほぼ中央に配置されておりかつこの管の中心軸の近辺に位置する開口を有するとき、容器の外壁の近辺を循環している流体の流線の行程時間は、管の中央の近辺を循環している流体の流線の行程時間より長い。
【００１５】
こうした行程時間の差異は、混合室への流束線または流体の流線の到達にずれを生じさせ、その結果主流体の前進前線に乱流を引き起こすこともある。こうした到達時間の非均等性は混合室内で実現される混合の質に影響を与えることもあり、さらには「ピストン的に」前進または伝搬する主流体の伝搬の様々な流れを乱すこともあり得る。
【００１６】
以前の刊行物に記載されており、そしてファインケミストリーのための工業規模、実験室または大規模工業で利用されている幾つかのディストリビュータまたはＤＭＥシステムの中で、ＡＭＩＣＯＮ社は小さい静容量で正確な主流体の配分を行うことができる中央デフレクタ・ディストリビュータシステムを含むＤＭＥを提案している。しかしながら、これは副流体を追加および／または抜取りすることができる手段も、また主流体と副流体の最適な混合を可能にする手段も含んでいない。
【００１７】
更に、この中央デフレクタシステムは主流体の半径方向配分においていくらか乱流を引起し、ディストリビュータ内で比較的に限られた中央収集における高い流速のために水頭損失が比較的に大きくなる。
【００１８】
上流および下流という用語は、粒状体層を循環しかつＤＭＥを通り抜ける流体の循環の方向との関連において考慮されるべきである。
【００１９】
米国特許ＵＳ−Ａ−３，９４８，７７５号には、２層を含むクロマトグラフィ管内で用いられるＤＭＥであって、この装置において主流体（Ａ）は、第１の層の出口に配置されている格子の下流で導管によって収集され、次に第２の層の上流に送られ、更に導管によって収集格子の上流に、そして側方に第２の層内に再配分される。副流体（Ｂ）は補助導管によっ導かれ、主流体と一直線になるよう混合されることもあり、この混合は比較的に限られた時間だけなされる。収集ゾーンと再配分ゾーンは斜めの防水バッフルによって分けられ、そしてこのようにして小さい静容積の円錐形収集体が得られる。
【００２０】
しかし、外側の流れの線の存在によって、逆流混合現象と追加の水頭損失を起こさせる恐れがある補助静容積が生じる。
【００２１】
そのうえ、対称性が欠けているための流体の側方への配分は、直径の大きい管では不完全な均等化を引き起こすことがある。
【００２２】
米国特許ＵＳ−Ａ−３，２１４，２４７号に含まれている知見は、バッフルの下流にある主流体を全体として収集し、次にバッフルとそして副流体の注入手段とによって画定されるスペース内にこの主流体を導くことにある。導かれた主流体はこのようにして画定されたスペース内で、横方向の噴流として供給される副流体と混合され、そしてその結果生じた混合体は次に、第２の層に送られる前に、バッフルの下に位置するスペース内で再配分される。バッフルの隔壁の形状が傾斜しているため、この装置は小さい静容積を示し、そして生じた水頭損失は、横方向の収集のために比較的に少ない。
【００２３】
しかし、主流体の収集スペースと、副流体の注入スペースと、そして混合スペースは明確には画定されていないので、混合機能を全体的に制御することができない。更に、混合ゾーンは中央ゾーンでは閉じられていず、逆流混合現象が収集および／または再配分の円錐形部分の全てにおいて生じる恐れがある。
【００２４】
米国特許ＵＳ−３，７２３，０７２号には、混合室の内部において２つの流体の混合を行い、次に第２の層内でこれを再配分することができる装置が記載されている。この装置は混合物の再配分手段を備えているが、この手段は層内の再配分を最適化できず、また上層内の主流体の流線の伝搬時間の差が容器との関連におけるその位置と、混合室の入口点とによって異なるために生じる乱流を避けることができない。
【００２５】
もっとも、これらの装置のいずれも１つの液体に「割当てられた」、すなわち所定の１流体の通行のために利用され、上記の不都合を緩和することを可能にする幾つかの注入および／または抜取り回路を利用することを記載も、示唆もしていない。
【００２６】
本発明の文脈で用いられている「割当てられた」という用語の意味は、１つの注入および／または抜取り回路が、この方法が実施されるとき、所定の１流体の通行のみに使用されるということである。
【００２７】
本発明は当該出願者の以前の国際特許出願ＷＯ−９５／０３８６７号の改良であり、混合室の上に副流体の幾つかの注入および／または抜取り回路を配置する可能性を示している。このような配置は、管の中における副流体の数が２つ以下であるときは、よく適している。しかしながら、注入および／または抜取りをされる管内の副流体を３つ以上利用する場合には、特に注入室および／または抜取り室を管の内部に連結する配管が複雑になるため、不都合である。
【００２８】
更に、注入および／または抜取りの作業のときに、注入および／または抜取りされた流体は１つまたは複数の混合室のあらゆる点に同時に到達することが好ましいが、これらの導管の１つにでもこの注入および／または抜取りされた流体と異なる性質の流体の詰まりまたは残余が存在すると、それが不可能になる。
【００２９】
そのうえ、主流体と副流体との混合を行うには、それが特に有効であると判っているとすれば、ＤＭＥからの幾つかの混合物の流線の行程と同様に、ＤＭＥの上流に配置されている粒状体層における幾つかの主流体の流線間の行程距離の差と行程時間の差とを最小にするには、このような装置は最適ではない。
【００３０】
混合室との関連において、幾つかの副流体を注入および／または抜取りするための独立回路を備えているＤＭＥを用いれば、上記の不都合を解消することができることが判明しており、これが本発明の主題の１つである。副流体の注入および／または抜取り回路は、例えば副流体を注入し、または抜取る幾つかのアクセス回路を提供するように配置されている。
【００３１】
主流体または混合室から出る混合流体の収集および／または配分手段の形態は、層内を循環する主流体の流線の各行程距離または各行程時間の差を少なくするために、例えば流体が管内へ放出されまたは注入される点と、混合室内に入る点とを考慮して構成されるのが有利である。なお、粒状体層内を循環する流体の粒子もまた流体の流線と見なされる。
【００３２】
【課題を解決する手段】
したがって、本発明は例えば、主流体Ａ1 および少なくとも第１の副流体（Ｂ1） と第２の副流体（Ｂ2 ）とを有する数種の流体を配分し、混合し、注入し、および／または抜取る装置（ＤＭＥ）であって、主流体（Ａ1）を収集する手段であって、手段は少なくとも１つの混合室と、第１の副流体（Ｂ1）の少なくとも１つの第１の注入および／または抜取り回路と、第２の副流体（Ｂ2）の少なくとも１つの第２の注入および／または抜取り回路とに関連しており、各注入および／または抜取り回路は、副流体（Ｂ1 、Ｂ2 ）を混合室へ、または混合室から通過させる１つまたは複数の開口によって混合室と連絡しており、混合室は前記主流体（Ａ1）用の少なくとも１つの入口オリフィスと少なくとも１つの出口オリフィスとを有する手段と、混合室から出る流体を再配分する手段とを有する装置に関する。
【００３３】
本装置は、各注入および／または抜取り回路は互いに分離しており、かつ、ＤＭＥの軸にほぼ平行な方向の混合室の少なくとも１つの隔壁に従って、混合室の近傍に配置されていることを特徴としている。
【００３４】
本発明のＤＭＥの１つの実施態様によれば、分離している各注入および／または抜取り回路は例えば、混合室の同じ側に配置されている。
【００３５】
各注入および／または抜取り回路は、例えば混合室の１つまたは複数の壁に沿って配置されている。本発明の好ましい実施形態では、独立した注入および／または回路が混合室のいずれかの側面、例えば２つの対向する側壁に沿って設けられている。
【００３６】
ＤＭＥの１つの実施態様によれば、注入および／または抜取り回路の数は例えば少なくとも４つである。
【００３７】
１つの注入および／または抜取り回路は、例えば少なくとも１つの注入および／または抜取り予備回路と連絡されている。
【００３８】
１つの実施態様によれば、混合室は、流体を通過させる１つのオリフィスを有するバッフルのような少なくとも１つの手段を有する。このようにして、混合室は数個の混合室または副混合室に分割される。
【００３９】
各注入および／または抜取り回路と、各注入および／または抜取り予備回路は、混合室と、または各副混合室と、または相互に、各種混合室または各種回路の隔壁に沿って配置され、軸が相互にずれるように選択されている１つまたは複数のオリフィスによって連絡している。
【００４０】
このようにして、１つの隔壁にあるオリフィスを通過した流体は、直接経路に従った後は他の隔壁にあるオリフィスを通過することはない。
【００４１】
本発明の装置は、例えば混合室に入る前の流線の行程時間の差、および／または、混合室から出た混合室の後方から、例えば粒状体層と考えられる混合室の下流点までの各流線の行程時間の差を最小にするように構成された形状を有する収集手段および／または再配分手段を有してもよい。
【００４２】
収集手段は例えば、ＤＭＥのほぼ全断面にわたって延びている収集用格子および／または収集スペースを有し、収集用格子および収集スペースの少なくとも１つは、混合室に入る前の主流体の各流線の行程時間の差を最小にするように構成された形状を有し、再配分手段は、例えばＤＭＥのほぼ全断面にわたって延びている少なくとも１つの再配分用格子および／または再配分スペースを有し、再配分用格子および再配分スペースの少なくとも１つは、混合室を出た後の主流体の各流線の行程時間の差を最小にするように構成された形状を有している。
【００４３】
第１の注入および／または抜取り回路は、例えば第１の回路と混合室とに共通する第１の共通隔壁に設けられている１つまたは複数の開口（Ｏ1 ）を有し、第２の注入および／または抜取り回路は、第２の回路と混合室とに共通する第２の共通隔壁に設けられている１つまたは複数の開口（Ｏ2 ）を有し、各開口（Ｏ1 ，Ｏ2 ）の軸の方向は、開口をそれぞれ通過する流体が少なくとも混合室の隔壁の無開口部に達するように選択されている。
【００４４】
第１の（または第２の）共通隔壁に設けられている各開口の軸は例えば、混合室の第２の（または第１の）共通隔壁の無開口部に向けられている。
【００４５】
本発明のＤＭＥの混合室、および／または、注入および／または抜取り室は例えば、混合室内の混合を最適化するように定められた、選択された構造とオリフィス分布とを有するのが好ましい。
【００４６】
向かい合った２つの隔壁の間の混合および／または抜取り室の幅は、例えば１０から１００ｍｍまでの範囲であり、好ましくは２０から６０ｍｍまでの範囲であり、さらに好ましくは３０から５０ｍｍまでの範囲である。
【００４７】
収集および／または再配分手段はそれぞれ、例えば収集スペースと再配分スペースとを含み、そしてこれら２つのスペースの１つは例えばスプラッシュよけプラグのような少なくとも１つの手段を含んでいる。
【００４８】
少なくとも１つの共通隔壁と、混合室に連絡する複数の連絡オリフィスとを持つように、混合および／または抜取り室と関連して設けられている少なくとも４つの注入および／または抜取り回路を有するＤＭＥでは、共通隔壁に設けられている各オリフィスの軸は、例えば混合および／または抜取り室の他の隔壁であって、混合および／または抜取り室と共通しない隔壁の無開口部に、流体が当たるように向けられている。
【００４９】
混合および／または抜取り室はまた、乱流を促進する手段を内部に有してもよい。
【００５０】
本発明はまた、主流体（Ａ1） および少なくとも第１の副流体（Ｂ1） とを有する数種の流体を配分し、混合し、注入し、および／または抜取る装置であって、
主流体（Ａ1） を収集する手段であって、該手段は、少なくとも１つの混合室と、第１の副流体（Ｂ1）用の少なくとも１つの第１の注入および／または抜取り回路とに関連しており、回路は、副流体（Ｂ1 ）を混合室内へ通過させる１つまたは複数の開口によって、混合室と連絡しており、混合室は少なくとも１つの入口オリフィスと少なくとも１つの出口オリフィスとを有する手段と、
混合室から出る流体を再配分する手段とを有する装置とも関連する。
本装置は、収集手段は、混合室に入る前の主流体の各流線の行程時間の差を最小にするように構成された形状を有することを特徴とする。
【００５１】
別の実施態様によれば、本発明は主流体（Ａ1）および少なくとも第１の副流体（Ｂ1）と第２の副流体（Ｂ2）とを有する数種の流体を配分し、混合し、注入し、および／または抜取る装置であって、
主流体Ａ1 を収集する手段であって、収集手段は混合室の第１の隔壁に設置された１つまたは複数の入口オリフィス（ＯP ）によって、少なくとも１つの混合室に接続しており、混合室は第２の隔壁に１つまたは複数の出口開口（Ｏm ）を備えている収集手段と、
第１の副流体（Ｂ1）の少なくとも１つの第１の注入および／または抜取り回路と、
第２の副流体（Ｂ2）の少なくとも１つの第２の注入および／または抜取り回路とを有し、
注入および／または抜取り回路はおのおの、混合室と共通する第１の共通隔壁と第２の共通隔壁を有し、かつ、共通隔壁のおのおのに設けられている１つまたは複数の開口（Ｏ1 、Ｏ2 ）によって混合室と連絡している装置に関連する。
【００５２】
本装置は、第１の（または第２の）共通隔壁に設けられている前記開口（Ｏ1 、Ｏ2 ）の各軸の方向は、開口を通過する流体が混合室の共通隔壁の無開口部に達するように選択されていることを特徴としている。
【００５３】
本発明はまた、少なくとも数種の分離可能な化合物を含む流体から１つの物質を分離することができる管に関連する。管は少なくとも１つのＤＭＥによって分離される少なくとも第１と第２の粒状体層を有し、ＤＭＥは、分離される物質を収集する手段であって、該手段は、少なくとも１つの混合室と、第１の副流体（Ｂ1）用の少なくとも１つの第１の注入および／または抜取り回路と、第２の副流体（Ｂ2）用の少なくとも１つの第２の注入および／または抜取り回路とに関連している。各注入および／または抜取り回路は、例えば副流体（Ｂ1、Ｂ2）を混合室内へ通過させる１つまたは複数の開口によって混合室と連絡しており、混合室は少なくとも１つの入口オリフィスと少なくとも１つの出口オリフィスとを有する手段を有している。ＤＭＥはまた、混合室から出る流体を再配分する手段を有する。
【００５４】
管は、各注入および／または抜取り回路は互いに分離しており、かつ、ＤＭＥの軸にほぼ平行な方向の混合室の少なくとも１つの隔壁に従って、混合室の近傍に配置されていることを特徴としている。
【００５５】
本発明の１つの特別の実施態様によれば、管は、混合室の少なくとも１つの隔壁に沿って配置されている少なくとも４つの独立した注入および／または抜取り回路を有する少なくとも１つのＤＭＥを有し、混合室の隔壁は管の軸にほぼ平行な方向を有している。
【００５６】
この実施態様は、各部分の内部における乱流状態を促進させることによって、特に混合機能を最適化することができ、その結果特に格子の下におけるより優れた収集および／またはより良い配分をこの装置に可能にさせることができる。
【００５７】
収集手段および／または再配分手段は例えば、粒状体層の少なくとも一部を通り抜けた各流線の混合室に入る前の行程時間の差を最小にし、および／または、混合室から出てＤＭＥの下流に配置されている第２の粒状体層に入るまでの各流線の行程時間を均等にするように構成された形状を有している。
【００５８】
管は例えば、互いに隣接して配置され、かつ、管の１つ以上の断面に沿って分布する、請求項１、１７、または１８のいずれか１項に記載の数個のＤＭＥを有している。
【００５９】
１つの有利な実施態様においては、例えば１つまたは幾つかの密封パッキンの形で密封手段を挿入することができるだけの距離または間隔を置いて幾つかのＤＭＥを並列に配置する。
【００６０】
管の隔壁に最も近いＤＭＥと管の隔壁との間の隙間自体にも、例えば密封パッキンを詰める。
【００６１】
このようにして、異なる粒状体層は互いに密封遮断された状態で分離されており、したがってこれらを構成する粒状体はある層から別の層に移ることはあり得ない。このようにして達成された密封により、特に粒状体層の完全性が保たれ、この粒状体層はほぼ最初に装入されたままの状態を維持する。
【００６２】
密封がなされると、管内を流れている主流体もしくは液体は全てＤＭＥを通り、したがって混合室を通って流れる外はなくなる。混合室を通らなければ、ある層から別の層に移るよい通路はない。その結果、管の全断面にわたって主流体の流れと配分がより良くなる。
【００６３】
管がいくつかのＤＭＥを含むとき、管は例えば、管の外側から、１つの流体用の少なくとも１つの注入および／または抜取室への、少なくとも１つの主流体配分導管を有し、導管は、例えば分岐手段によって少なくとも１つの注入および／または抜取室に連結され、管の外壁を貫通している。
【００６４】
本発明はまた、少なくとも数種の分離可能な化合物を含む流体から少なくとも１つの物質を分離する管に関連する。管は例えば、請求項１７に記載の少なくとも１つの特徴を有する少なくとも１つのＤＭＥによって分離された少なくとも第１および第２の粒状体層を有する。
【００６５】
本発明は、少なくとも数種の分離可能な化合物を含む流体から少なくとも１つの物質を分離する管に関連する。管は例えば、請求項１８に記載の少なくとも１つの特徴を有する少なくとも１つのＤＭＥによって分離された少なくとも第１および第２の粒状体層を有する。
【００６６】
本発明の１つの実施態様によれば、管は例えば、
管の長手方向の１つの軸にほぼ沿って配置された少なくとも１つの支持手段と、
支持手段に接続された１つまたは複数の主ビームと、
請求項１から１８までに記載の少なくとも１つの特徴を有し、支持手段の周りの任意の所定断面内および主ビームの上に配置され、密封手段によって互いに分離され、第１および第２の粒状体層の間に配置され、主ビームは第２の粒状体層の中に埋められている数個のＤＭＥと、
注入および／または抜取り回路への液体の配分および／または抜取りを行う、少なくとも１つの主要手段とを有する。
【００６７】
本発明は、クロマトグラフィにより物質を分離するのに用いられることが好ましい。
【００６８】
【発明の実施の形態】
本発明のＤＭＥによって得られる利点は特に以下のようなものである。すなわち、
─  副流体の注入および／または抜取り回路がそれぞれ独立していることによって、不測の汚染現象と、通常は共通な導管内にある液体の残滓の清掃作業とを避けることができることと、
─  収集手段と再配分手段の適宜な形態によって、ＤＭＥの下流では異なる流体線の行程時間の差を最小にすることによって、流体の前線の伝搬を改善することができ、または上流ではピストンタイプの流れを得ることができることと、
─  収集スペースの形態を適宜に選択することによって静容積を最小限にできることと、
─  通過口とその配分を適宜に選択することによって、水頭損失と同様に、このＤＭＥの上流ゾーンにおいて行われる物体の分離を妨げる恐れのある逆流混合現象を最小限に抑えられることと、そして
─  その結果、管を通る主流体の循環に対して可能な限り小さい水筒損失しか生じないこと。
【００６９】
必要ならば、管の中央部にＤＭＥの支持手段を取付けることによって、全体の物理的強度を更に上げることができる。
【００７０】
本発明の方法のその他の特徴や利点に関しては、添付の図面を参照しながら以下に、限定的なものではなく、例証として示される幾つかの実施例についての説明によって、明らかになるであろう。
【００７１】
図１は、本発明の原理を説明するために示されている１つのＤＭＥを備えた管１の実施例の略図である。この管には例えば、主流体Ａ1 を導き入れることができる流入口Ｄと、この流入口Ｄに対向する端に位置する排出口Ｅとがある。この２つの開口部ＥとＤは主軸に沿うか、またはその位置によって垂直または水平な管の縦方向に配置されることが好ましい。この管の内部には、当初に装入される第１と第２の粒状体層２と１０が少なくともそれぞれ１層ずつあり、その管には本発明の配分・混合・抜出し装置すなわちＤＭＥが少なくとも１つずつ装入されており、この装置には以下の要素が含まれる。すなわち、
─ 例えば収集格子３と収集スペース４とを含み、例えば第１の粒状体層２を通って管内を循環する主流体Ａ1 の収集手段。
─ 管内を循環している主流体の１つ以上の入口１４と少なくとも１つの出口１７とを含む混合室７であって、後に詳述するように、様々な形態をとることが可能である精密仕上げの開口部を備えている混合室７。
─ 注入および／または抜取り室と混合室とに共通な隔壁５ａ、６ａに位置する幾つかの開口１５、１６の１つによってこの混合室と連絡しており、かつ例えば混合室７の近辺に配置されている注入および／または抜取り室５、６に開口している例えば導管１２、１３をそれぞれ含む、第１と第２の副流体Ｂ1 およびＢ2の２つの注入および／または抜取り室５、６。
─ 混合室７の内側隔壁にある出口１７から排出され、かつ混合室７の内部で実現される流体の混合物の分配手段であって、例えば再配分スペース８と再配分格子９とを含む手段。なお、出口は精密仕上げであることが好ましい。
【００７２】
２つの注入および／または抜取り回路は独立しており、かつ副流体源を有する外部と連絡しているが、この複数の副流体は異なる性質または組成または各流体を回収することができるそれ自体個別の複数容器を備えており、これらの容器は図示されていない。
【００７３】
開口１５、１６はこのようにして、混合室からおよび／または混合室に向かって流体の抜取りおよび／または注入をすることができる。
【００７４】
主流体Ａ1 の入口１４、混合室７の出口１７、そして開口１５、１６は、水頭損失すなわち圧力の低下と、混合室７内に乱流を引き起こすのに充分な速度を得ることができるように選択されることが好ましい。このようにして強い逆流混合が得られ、そして主流体Ａ1 と副流体Ｂ2 との混合の効率が高められる。このような配置によってまた、収集スペースと再配分のスペースから混合室７を絶縁することが可能になり、そして収集スペースと配分スペースからの副流体の流れの直接的な通過を最大限減らすことができる。
【００７５】
これらの開口部の寸法と構造は、混合室内に入ってくる流体が内部で乱流を引起し、また同時に混合室内部にこの乱流を閉じ込めることのできる水頭損失を発生させるのに好都合な速度を有するように、選択される。
【００７６】
したがって、主流体Ａ1 の複数入口１４間の間隔は例えば３０〜１５０ｍｍ、好ましくは５０〜１００ｍｍである。このような間隔から生まれるこれら開口部を通る流体の速度は、例えば１〜５ｍ／ｓ、好ましくは２〜３ｍ／ｓである。開口部の出口に発生する水頭損失は、１０〜１００ｇ／ｃｍ2 で、好ましは３０〜６０ｇ／ｃｍ2 である。
【００７７】
混合室の流体の出口１７は例えば連続または不連続である一連の精密仕上げの孔またはスリットより形成されており、再配分スペース８に向かってできるだけ均等に流体を再配分できるように、規則正しい間隔をおいて配置されることが好ましい。この混合室から出る流体は、例えば少なくとも１つの主流体と少なくとも１つの副流体との混合物または混合室の内部で再混合された流体である。
【００７８】
これらの孔またはスリット１７の寸法は例えば、混合室７の内部に混合物の乱流を閉じ込めることができるある水筒損失を発生させるように選択される。この水筒損失の値は例えば、１０〜１００ｇ／ｃｍ2 であり、好ましくは３０〜６０ｇ／ｃｍ2 である。この水筒損失の値は特に、３０〜１５０ｍｍ、好ましくは５０〜１００ｍｍの範囲にある孔またはスリットの間隔に対応している。これらの数値によって、混合室の出口における流体の速度は１〜５ｍ／ｓ、好ましくは５２〜３ｍ／ｓにすることができる。
【００７９】
このようにして、混合室からの流体の収集とその良好な配分を最適化することができ、流体は次に再配分スペース８内を通過して、そして最後に再配分格子９を通る。
【００８０】
副流体Ｂ1 とＢ2 の導入または抜取りのための開口１５、１６は、例えば連続または不連続である一連の精密仕上げの孔より形成されており、混合室７に向かいもしくはこの室からできるだけ均等に副流体Ｂ1 とＢ2 を注入および／または抜取りを行えるように、規則正しい間隔をおいて配置されることが好ましい。これらの開口は例えば、混合室に入る副流体Ｂ1 とＢ2 の直線的速度がこの室内における乱流の形成を助けられるほど、そして相当な水筒損失を得ることができるほど充分大きくなるように寸法決めされる。開口１５、１６はまた、連続または不連続で精密仕上げされたスリットの形態を採ることもある。
【００８１】
開口１５、１６を通る流体の速度は、例えば１〜１５ｍ／ｓ、好ましくは５〜１０ｍ／ｓである。各開口間の間隔は例えば、３０〜１５０ｍｍ、好ましくは５０〜１００ｍｍに選択される。対応する水筒損失は、１００〜２０００ｇ／ｃｍ2 、好ましくは２００〜１０００ｇ／ｃｍ2 である。
【００８２】
図２と３に示されているように、通過する流体が開口部を含む隔壁に向かい合っている混合室の開口部のない隔壁部分に当たるように、開口１５、１６は注入および／または抜取り室と混合室とに共通な隔壁にそって配置される。これらの開口の配置は例えば、副流体の割り当てられていない室への通過を避けるために、互いにその位置をずらすように、選択されている。
【００８３】
混合室７内における混合の効率はまた、全ての出口においてほぼ等しい流体の流量を確保するように、注入および／または抜取り室の構造と寸法を選択することによって得られる。たとえば、室の平均幅に対する呼び長さの比またはこれと同等なものは３０未満で、好ましくは２０未満、そして更に好ましくは１０未満である。
【００８４】
副流体がそのやって来る隔壁の正面に位置する混合室の隔壁に当たるように、例えば、混合室内の開口１５、１６から出てくる幾つかの流体の１つの速度に応じて、混合室の幅を選択することが望ましい。
【００８５】
収集格子と再配分格子は例えば金属の格子またはふるいの形態をとる。鋼鉄または鉄製のジョンソンタイプの通常の格子またはこれと同等なものを使用することができる。
【００８６】
この格子を構成する針金または要素の隙間は、約０．１５±０．０５ｍｍであることが好ましい。この隙間の値は、層の固体粒子がこの隙間に詰まったり、または格子の針金の間をすり抜けることがないようにしながら、第１の層を流体がよく循環できるように選択される。
【００８７】
あるものは例えば、小さなビームまたはロッドにまたは、例えば高さ１０〜５ｍｍのより大きい寸法のビームに溶接された針金の形態をとる。
【００８８】
図３も、長方形の形態を有する２つの注入および／または抜取り室５、６を示す。この室は、例えば混合室７に並べられており、混合室７とほとんど同じ形態を有し、その両側に配置されている。このようにして構成されている機構全体は、例えばかなり平たい形状を有するケーソン形を呈する。
【００８９】
このケーソンは例えば、全体としてかつ管のほぼ全断面にわたって、収集スペース４と再配分スペース８を隔てている。
【００９０】
別の実施形態では、ＤＭＥは、好ましくは薄い厚さで、周縁の形は円形であってもよい、かなり平たい「ガレット」（ビスケットのような形の菓子）の形状をしている。
【００９１】
このようにして全体は、支持の機能と同時に、流体の収集と、配分および／または混合および／または抜取りの各機能を確実に果たすケーソンの形態をなしていることが好ましい。
【００９２】
好ましい形態では、本出願者の仏国特許ＦＲ−２，７２１，９００号に記載されているように、粒状体層の装入は適宜な装置を用いて行う。
【００９３】
この層を形成する粒子は約０．４〜１ｍｍの直径にすることが望ましい。管の充填は、好ましくは機械的な摩擦が生じないように、これらの粒子を落とし入れるようにして行われる。
【００９４】
このようにして、管の再生可能で、密度が高く、かつ均質な充填を行うことができる。この方法による充填によって、粒子間の間隙の静容積と、そして「チャンネリング」すなわち流体の優先通過の危険とを最小にすることができ、その結果望みのピストンタイプの流動形態にすることができる。
【００９５】
このようにして、時間経過に顕著に安的的な構造を有する粒状体層が得られ、この層のその後の沈下も非常に小さく、ゼロと見なされる。
【００９６】
装填は例えば管のヘッドすなわちその上端からなされ、管は装填に際して、以下の図面に示されているＤＭＥを支持できる手段を備えかつ含んでいても、あるいは備えていなくともよい。
【００９７】
例えば上述の装置によって最高約１ｃｍ／ｍｉｎの装填速度で粒子を送り入れることができるが、これは約１ｍの高さの粒状体層を３時間ほどで満たすものである。
【００９８】
管の装填は、この工程において重要なパラメータである粒状体層の親水度を制御するように、乾燥した環境で実施することが望ましい。周囲環境の湿度が高いと、粒子（分子ふるい）が水分を含み、そのために始動時にふるいに損傷を与え、長時間の乾燥工程が必要になる。
【００９９】
２つの粒状体層の間に配置されるこの装置（ＤＭＥ）によって実行される方法には、例えば、限定的にではなく例証としてのみ挙げられている以下の幾つかの段階が含まれる。すなわち、
例えば、管の上部の流入口Ｄより主流体Ａ1 を入れる。この流体は第１の上層２を通って循環し、次に収集格子３と収集スペース４との位置でできるだけ均等に収集される。主流体Ａ1 は、例えば混合室の上部隔壁の高さのほぼ全体にわたって配置されている精密仕上げの入口１４を通って混合室７の中に入る。このようにして、この混合室の内部における混合の有効性に好都合な乱流を発生させながら、この室内においてほぼ均等な主流体Ａ1 の導入を果たす。
【０１００】
複数の別個の注入および／または抜取り室内への副流体Ｂ1 とＢ2 の注入は、例えば逐次になされるが、ほぼ以下のような概要に従う。すなわち、
─  副流体Ｂ1 （またはＢ2 ）は導管１２（１３）により注入および／または抜取り室５（６）に導入され、均等な注入ができるように、例えばこの室の高さ全てにわたって均等に配分されている、精密仕上げの開口１５（１６）を通って混合室７に注入される。少なくとも混合室７と開口部１４、１７によって画されて、封じられているスペース内に強い乱流が起こるため、この注入は、副流体Ｂ1 とＢ2 の主流体Ａ1 との混合の効率に有利な高い注入速度でなされる。
【０１０１】
逆に、副流体Ｂ1 とＢ2 は同じ装置（ＤＭＥ）によって抜き取られることもある。精密仕上げの開口１５、１６によって、流体の均等な採取と室５、６内へのこれら流体の均等な収集が可能になる。
【０１０２】
図４、５および６では、２つの注入および／または抜取り室を含む管の場合、副流体Ｂ1 とＢ2 の注入および／または抜取り導管の配置実施例の略図が示されている。
【０１０３】
第１の副流体Ｂ1 の注入および／または抜取り導管２０は例えば、半径方向に管１を通っている第１の部分２０ａからなっており、この第１の部分は延長されて第２の部分２０ｂになるが、この部分は、例えば管の縦軸にほぼ平行な方向に収集格子３と収集スペース４を貫通し、注入および／または抜取り室５の上部隔壁の位置で開口している。
【０１０４】
例えばほぼ同様な構造を示す導管２１は、第１の部分２１ａと第２の部分２２ｂを含み、そして再配分格子９と再配分スペース８を貫通して第２の注入および／または抜取り室６の下部隔壁のところに到っている。
【０１０５】
この３つの図面に記載の実施例では、開口１５、１６は室６内に副流体Ｂ1 が入り込んだり、室５に副流体Ｂ2 が入ることを避けるために、２つの開口１５、１６はずらされている。
【０１０６】
図７は、３つの副流体Ｂ1 、Ｂ2 およびＢ3 のための３つの注入および／または抜取り室を含む装置の実施例を示す。
【０１０７】
注入および／または抜取り室３０は例えば第１の副流体Ｂ1 が通過し、そして例えば注入および／または抜取り室３１の上に位置し、この室３１は、例えば第１の副流体Ｂ1 と区別される第２の副流体Ｂ2 が通過する。これらの室３０、３１はそれぞれ、１つ以上の開口３２、３３により混合室７に連絡しており、これらの開口３２、３３の注入軸は、通過する流体の噴流が例えば開口３２、３３を含む隔壁の正面に位置している混合室７の開口部のない隔壁部分に向かって開口するように、方向付けられていることが好ましい。このようにして、室３０、３１から出る流体が他の注入および／または抜取り室に向かうことを避けるか、またはこれを最小限に抑えている。
【０１０８】
これら２つの室は、管の垂直軸にほぼ平行な方向を有する隔壁にそって、例えば混合室７の同一の側に配置されている。
【０１０９】
上記の室の反対側に、第３の注入および／または抜取り室３４が配置されていて、これは例えば２つの室３０と３１の高さを加えたものと同じ高さを有している。その軸が混合室の開口部のない隔壁に開口している１つ以上の精密仕上げの開口３５の１つによって、この第３の室は混合室７に連絡している。
【０１１０】
このような配置によって、混合室７内に注入された異なる副流体Ｂ1 、Ｂ2 およびＢ3 は、混合室７の中で緊密に混合されるように、開口部のない隔壁に押し当てられるか、またはこの隔壁に衝突させられる。さらに、割り当てられていない室内における異なる性質を持つ副流体の通過は避けられる。
【０１１１】
混合物の収集および／または再配分手段の特性は、上記図面に記載されているスペースの特性とほぼ等しい。
【０１１２】
注入および／または抜取り室の異なる副流体が混合室７からまたは混合室７に向かって通る開口の場合のように、混合室７内への主流体の入口１４と出口１７の特性も同様である。
【０１１３】
図８は４つの注入および／または抜取り室４０、４２の配置と管に関する副流体Ｂ1 、Ｂ2 、Ｂ3 およびＢ4 のための異なる導管の配分の実施例を示す。
【０１１４】
この場合、導管４１、４３、４５および４７は４つの副流体Ｂ1 、Ｂ2 、Ｂ3 およびＢ4 の導入および／または抜取りのために利用される。
【０１１５】
導管４１と４３は、２つの注入および／または抜取り室４０と４２に達するために、これらの室のそれぞれの上部隔壁を貫通して、図４のものと同様な形態と行程を有することができ、室４０が管の全断面を占めているとき、または室４０が室４２の上に位置しかつ室４０の断面よりも大きい断面を有する場合、管の主軸すなわち管の縦軸にほぼ平行な軸にそって、導管４３は室４０を貫通する。
【０１１６】
導管４５は管の縦方向の隔壁の１つを半径方向に貫通し、導管４３とほぼ等しい形状を有する行程にしたがって、注入および／または抜取り室の上部隔壁に到達するが、一方この実施例では、管４７は同様な行程を採用し、注入および／または抜取り室４６の下部隔壁のところでこの室４６に達する。
【０１１７】
勿論、本発明の枠内から外れない限り、以下のパラメータに応じて異なる導管の行程と配置を採用することができる。
【０１１８】
そのパラメータは、管の構造、様々な室の数と配置、そして管へのアクセス条件である。
【０１１９】
図９は図８のＤＭＥの実施例の変形であって、この場合、混合室７は、例えば１つ以上の精密仕上げの開口を備えている隔壁７ｃまたはバッフルによって、混合室７は２つの部分または副混合室７ａと７ｂに分割されており、これらの開口は、例えば精密仕上げの孔か、または連続または不連続の精密仕上げのスリットの形態を示すが、隔壁またはバッフルの縦方向または他の方向にしたがって示すこともできる。
【０１２０】
混合室を分割することによって、第２の副混合室７ｂに流入する前の第１の副混合室７ａ内の流体の乱流によって生じる影響が最適化される。このようにして、流体の乱流によって生じる影響は、混合室全体にわたって改善される。
【０１２１】
この図面には、１つの副混合室７ａ、７ｂと、分配および／または抜取り室（４０、４４）、（４２、４６）との間に、例えば図２０と２１に詳細に記されている予備室が示されている。
【０１２２】
図１０は、５つの独立している注入および／または抜取り副回路を含むＤＭＥの実施例の略図である。
【０１２３】
この実施例は例えば、純度の高い生成物を抜き取る前に例えば最終的洗浄または浄化の作業中に使用される補助流体を送るのに、特に有利なことがある。この例では、混合室の隔壁の開口部のない部分に当たるように、開口部の軸が常に方向決めと配分の基準を守っている。
【０１２４】
図１１には、混合室６０がＤＭＥの片側に位置し、したがって管１の縦方向の隔壁と共通の隔壁を有するＤＭＥの１実施態様が示されている。このＤＭＥは、収集スペース４の側に主流体Ａ1 を通過させるための少なくとも１つの入口６１と、そして混合物を通過させることができる１つ以上の精密仕上げの出口とを備えており、上記入口は例えば、入口１４（図１）とほぼ同様な特性を示すものであり、そして上記の開口は例えば出口１７（図１）とほぼ同様な特性を示す。
【０１２５】
２つの副流体Ｂ1 とＢ2 の注入および／または抜取り室６３、６４は、例えばその方向が管の軸にほぼ平行な隔壁にそってこの混合室６０の同一の側に配置されており、この室６３は例えば室６４の上に配置されている。煩雑になるため図示されていない導管１２、３のような導管によって、注入および／または抜取り室は外部と連絡しており、そして例えば開口１５、１６（図１）に類似の基準によって定められている１つ以上の開口によって混合室６０と連絡している。
【０１２６】
管が大きな断面を有する時、幾つかのＤＭＥを設置し、そしてこのＤＭＥの支持手段を挿入すると、有利になることがある。
【０１２７】
管の中に幾つかのＤＭＥ全てに相当する寸法を有する１つのＤＭＥを設置しても、特に機械的な実施上のより大きな困難が生じる恐れがあるので、こうした１つのＤＭＥよりもむしろ、例えば幾つかのＤＭＥを並列に配置する方が有利である。副流体の注入および／または抜取り室の独立性のために、このような配置は無視できないほど多くのパイプまたは導管の設置を招き、管の１つ以上の隔壁を貫通し、また管をかさばらせ、そして複雑さを増大させることになる。このような場合、例えば図１２、１３、１４および１５に記載されている構造に基づいて副流体の供給管のための構造を採用すると有利なことが判明している。
【０１２８】
これらの図面には、特殊な性質の副流体の注入および／または抜取りを行うことができる異なる複数のパイプＣi は管の内部の１つのパイプすなわち主導管Ｃの位置で連結される。主導管Ｃのみが１つまたは幾つかの場所で管の隔壁を貫通する。
【０１２９】
例えば図１２と１３では、副流体Ｂ1 とＢ2 をそれぞれ注入および／または抜取りすることができる主導管ＣとＣ’は分岐Ｃi とＣi ’を有し、これらの分岐は適宜な注入および／または抜取り室に向かう副流体の通過を可能にする。適宜な室とは、副流体の注入段階とともに抜取り段階においても、１つの流体と、そして幾つかの流体の中で互いに適合できる唯一の流体、または場合によって適合できる複数の流体を特に受け入れるための室を指す。
【０１３０】
図１３では、管の１断面に、並列に３つのＤＭＥすなわちＤ1 、Ｄ2 、Ｄ3 が配置され、そしてそれぞれは例えば図１に記載のＤＭＥと同様な特性を示す。各ＤＭＥは少なくとも１つの混合室Ｍと、そしてこの混合室Ｍの両側に配置されている２つの注入および／または抜取り室Ｉ1 とＩ2 とを含む。
【０１３１】
主導管ＣとＣ’は、例えば図１２に示されているように、ＤＭＥの上に、例えば水平かつ半径方向に配置され、分岐Ｃi とＣi ’ は主導管ＣとＣ’からほぼ垂直な方向に出て、例えばそれぞれＩ1およびＩ2 タイプの注入および／または抜取り室に到達する。勿論、本発明の枠内から逸脱しない範囲で、これらの導管とその分岐の水平または垂直の配置は、その構造と同様に、例えば管の様態と位置に、および内部におけるＤＭＥの配置に依存している。なお、管は水平にも垂直にも使用できる。
【０１３２】
同様に、次々と上に重ねていく、主導管よりの分岐の形態を採用して、主導管ＣとＣ’を積み重ねることも考えられ、またはその他どのような実施様態の変形もあり得る。
【０１３３】
図１４と１５には、配分回路内の流体の入口点と、注入および／または抜取り室内の注入点までの間の行程時間の差を最小にして副流体を配分するための概要が記されている。
【０１３４】
図３のように、並列に配置されている３つのＤＭＥを含む管では、副流体Ｂ1 に割当てられた外側の導管７０は、少なくともその長さの一部では円形でかつＤＭＥの周囲の形状をなしている、例えば導管の断片７１によって、管１の内部に延びており、その長さは、例えば導管の断片７１の分岐を介して副流体Ｂ1 に割当てられた全ての注入および／または抜取り室Ｉ1 とＩ2 内に副流体Ｂ1 を到達させ、そしてこれを配分するのに相応しい。
【０１３５】
それは、異なる注入および／または抜取り室の内部に開口している導管の断片７３によりそれ自身も分岐されている円形導管の断片によって延長されている導管７２を介して配分される、副流体Ｂ2 の注入および／または抜取り導管を考えるときでも同様である。
【０１３６】
ある配置によると、注入および／または抜取り半回路２つの代わりに、例えば上下に積み重ねられている、円形の２つの回路を配置する。
【０１３７】
図１４と１５では、管の周縁の対向する部分に、２つの注入および／または抜取り回路が示されている。
【０１３８】
この配置は、ＤＭＥの両側に位置しているふるい層すなわち粒状体層に最大限の場所を残し、かつこれらの層を通過する主流体Ａ1 の循環の乱れを最小化することによって、ＤＭＥへの内部接続導管の配置をかなり簡略化するという特別の利点を有している。
【０１３９】
管の内部に配置されている円筒形の様々な主導管は、この管の円周の一部に相当する長さを有するか、または上記の円周にほぼ等しい長さを持つことも可能である。これらの導管は上下に重なって配置することもできる。
【０１４０】
横方向の共通導管の数は、真っ直ぐな場合もそうでない場合も、例えば管内部にあるＤＭＥの数と、独立であることが望ましい副流体の数とに応じて選択される。
【０１４１】
副流体の注入および／または抜取り回路が独立しているため、各分岐に共通する注入および／または抜取り導管は、形状の対称性や滞留時間になんらの要求もないこともあり得る。
【０１４２】
図１６、１７および１８は大きな直径すなわち大きな断面を有する管に特にふさわしい配置の例を示している。本例は支持手段、すなわち組立体の機械的強度を上げてＤＭＥの運搬を確保する機能を持つ手段を有するものである。
【０１４３】
図１６と１７は、ＤＭＥを支持することを可能にする組立体を備えている管を示している。この組立体は例えば、管１の縦軸Ａにそって配置されることが好ましい１本のビームＰｃすなわち管の長さにほぼ等しい長さを有する中央ビームの形態をとっている。このビームの断面はどのようなものでもよいが、ただし組立体の機械的強度を改善するのに充分なものでなければならない。
【０１４４】
図１８には、縦軸にそって管内に配置されている幾つかのビームＰｃの配置の略図が示されている。
【０１４５】
１つまたは幾つかの主ビームＰは、図１６の中央ビームまたは中央筒に、または図１８に例示されている管の断面に分布している幾つかのビームＰｃに固定されるように配置されている。このような配置は特に、例えば主ビームＰの曲げの危険を減少させ、寸法の縮小を可能とする。
【０１４６】
ＤＭＥは主ビームの上に置かれて、これらのビームに支持される。
【０１４７】
図１７には、管の隔壁の周囲にそって隣接して配置されている支持手段が示されており、例えば管の外壁に最も近いＤＭＥの隔壁を受けている。
【０１４８】
複数のＤＭＥは、流れている流体が基本的には必ずＤＭＥの収集スペースを通り、そして混合室を通るようにするために組立体の最適な密封性を実現できるように、互いに配置されることが有利である。
【０１４９】
このために、複数のＤＭＥは、例えば１つの管断面に配されているリングまたは円形サポートにこれらを乗せて、並列に配置され、中央ビームＰｃと、そして必要ならは、主支持ビームＰは１つの管断面に配置される。
【０１５０】
２つのＤＭＥ間の間隔は例えば約１０〜２０ｍｍである。
【０１５１】
２つの隣接するＤＭＥの外壁間、および／または、管の内壁と内壁の近くのＤＭＥとの間のシールを実現するために、シーリング手段、例えばほぼ完全なシーリングを得るのに十分なサイズの密封パッキンＴｅが間隙に詰められる。全体をシールするように、幾つかのパッキンを互いに重ね合わせることもできる。
【０１５２】
流体のほとんどまたは全てが、管の断面にそって配置された少なくとも１つの混合室に完全にまたは実質的に全て入るので、ＤＭＥの効率が高まる。
【０１５３】
実際、シールがなされないと、ＤＭＥの上に配置されている層を形成するスクリーン、すなわち粒子は２つのＤＭＥ間の隙間を通って流れる恐れがある。層における流れのレベルで、空隙が生じこれが伝播して、この空隙の上にあるスクリーンが次々に流れ出し、一種の煙突状態を形成し、そのため層の装填が薄くなりそして層は「ゆるんで」くるが、一方層の他の部分はその緊密な装填の形態を残している。もしシールがなされないと、この流れは１つの層から次の層に伝播する恐れがある。その結果、循環する流体に体する優先的通過が生じ、ある層の全断面にわたってほぼ均等な流れを得ることを目的とする、例えばピストンタイプの工程の効率が損なわれる。
【０１５４】
管の断面に配置されているＤＭＥの数は、制限されない。
【０１５５】
本発明の好ましい実施例によると、ＤＭＥは長方形で、容易に管内に収納できるように、その幅は例えば６００〜１２００ｍｍの範囲、好ましくは９００〜１１００ｍｍである。管の障壁の近くに配置されているＤＭＥは、少なくとも１つの障壁の形状が管の形状に適合するようにする。
【０１５６】
ＤＭＥに長方形の形状を選択することによって、各管の断面ごとのＤＭＥの数は、約７．５ｍの直径を有する管で例えば１４個のＤＭＥ、約１０ｍの直径では２０個、約５ｍの直径では１０個のＤＭＥである。
【０１５７】
副流体の注入および／または抜取り作業が停止されたとき、閉口部の前で主流体Ａ1 の循環による動的効果によってウィーピング現象が生じることがある。この現象は特に、この停止によって影響される副流体に関する精密仕上げの開口で発生する。
【０１５８】
例えば、流体の循環が室５によって中断されたとき、この室は例えば副流体により完全に満たされる。
【０１５９】
一方、主流体Ａ1 は混合室７内で高速で循環し続け、注入および／または抜取り室と混合室とを連結する精密仕上げの開口の前を特に通過する。混合室には主流体Ａ1 の乱流が存在するので、ウィーピング現象が生じることがある。この現象は、非常に少量の主流体が精密仕上げの開口を通って注入および／または抜取り室に入り、逆に注入および／または抜取り室内に存在する少量の副流体がこの室から混合室に逃げれるようになることである。
【０１６０】
副流体Ｂ1 が存在しないと、主流体と副流体が異なる種類である時、互いに汚染が生じる恐れがある。
【０１６１】
この相互汚染を制限または除去するために、適宜な装置を使用するか、またはＤＭＥ内に特殊な配置を選択する。
【０１６２】
実施される第１の方法は、このウィーピング現象の範囲を制限するために、例えば約１０ｍｍ未満、好ましくは７ｍｍ、そしてもし可能ならば５ｍｍ未満のサイズを選択して、混合室と注入および／または抜取り室との間の精密仕上げの開口を最小にすることである。
【０１６３】
例えば、可能な配置の１つは、混合室内では主流体に向かい合った（主流体の方向に平行な開口の軸にある）副流体の注入および／または抜取り開口の設置を避けるか、またはその形状が上記の開口を伴ってノズルまたはベンチュリ管効果を生じさせるような混合室の使用を避けることである。
【０１６４】
図２０と２１に示されている、特に有効な配置は、混合室７と注入および／または抜取り室５、６との間にある注入および／または抜取り予備室５５、５６を注入および／または抜取り室５、６に連結することである。
【０１６５】
各注入および／または抜取り予備室５５、６６は、予備室に向かう混合室からの流体の循環を可能にする開口１５、１６に加えて、上述の精密仕上げの開口に本質的に同等でありかつ注入および／または抜取り室と予備室との間の流体の通過を可能にする１つ以上の精密仕上げの開口１５Ａ、１６Ａを有する。開口１５、１６、１５Ａ、１６Ａは、上述のように、異なる性質を有する副流体間の遭遇問題を避けるために、互いにその軸がずれるように配列されている。
【０１６６】
このような配置は、以下のような利点があるので、とくに有利である。すなわち、
−  副流体Ｂ1の注入時に、例えば、予備室の精密仕上げの開口によって、予備室内部の圧力をよりよく平均化することが可能になり、したがって混合室に向かう予備室内の副流体の通行を可能にする第２の組合せの精密仕上げの開口１５、１６を通る副流体Ｂ1のよりよい配分が得られる。
−  精密仕上げの開口１５、１６、１５Ａ、１６Ａを有する予備室の狭い容量は閉じられた空間を形成し、この空間は、副流体の循環停止時に、基本的にはこの予備室の内部におけるウィーピング現象と各流体どうしの相互汚染とを制限することになる。これは、精密仕上げの開口を備えた混合室と予備室に共通な隔壁が隔壁の役割を果たし、主流体により形成される乱流が副流体に割り当てられている注入および／または抜取り室に伝播するのが妨げられるからである。
【０１６７】
この理由で、この予備室の容量は最小にすることが好ましい。隔壁間の幅は例えば１０〜１００ｍｍ、好ましくは１５〜５０ｍｍ、更により好ましくは２０〜３０ｍｍである。
−  副流体の注入また主流体の抜取りによる洗浄作業を実施するために、混合予備室が利用できると有利である。
【０１６８】
例えば、主流体Ａ1が清浄な生成物でしかもウィーピングの恐れがある場合、すなわち、予備室の容量以上の量の副流体Ｂ1を注入することによって、予備室の内容物を汚染する恐れがある場合、汚染された内容物を混合室に押出して予備室内の流体をきれいにする。
【０１６９】
逆に、例えば予備室の容量に少なくとも等しい少量の副流体Ｂ1を引き抜いて、主流体Ａ1で予備室の洗浄を行う。
【０１７０】
図２２は、連結されている４つの注入および／または抜取り室とこれらの予備室が管の軸の両側に配置されているＤＭＥの変形を示している。
【０１７１】
図２３と２４は、幾つかの注入および／または抜取り室がただ１つの予備室に連結されている他の２つのＤＭＥの実施態様を示している。
【０１７２】
この場合、注入および／または抜取り室はそれぞれ一つの流体に常に「割り当てられて」いるが、連結されている予備室は幾つかの異なる流体を処理することができる。
【０１７３】
これらの実施態様は特に以下のような利点がある。すなわち、
−  ウィーピング現象の危険は、幾つかの予備室を含む配置に関連して、精密仕上げの開口の数が最小になるので、最小限に抑えられる。
−  共通な予備室を洗浄するために清浄な副流体を利用する。
−  逆に、共通予備室の容量以上の副流体を抜き取るときには、１段階で主流体によるこの共通予備室の洗浄を行い、これは特に主流体が洗浄になっているときに、実施できる点が有利である。
【０１７４】
本発明のＤＭＥは、粒状体層において循環している幾つかの流体線間の行程時間の差を最小にするために設計されている形状を有する収集手段および／または再配分手段を有している。これらの装置の代替の実施例は図２５〜４３に非限定的な例証として示されている。
【０１７５】
例えば、ＤＭＥの上流にある第１の上層２を循環している主流体線のそれぞれの行程時間を均等化するために、図２５に示されている収集スペースは図１のそれと異なる形状をしている。
【０１７６】
収集スペース４は以下のものによって画定されている。すなわち、
−  例えば、一部は混合室７の上部隔壁によって形成されている隔壁４ａと４ｂ
−  注入および／または抜取り室５、６の上部隔壁、開口１４によって分離されている上記の隔壁４ａと４ｂ
−  格子３、および
−  管の隔壁
主流体は、例えば、層からの流体のピストンの形状をした粒状層２の上層中を特に収集スペースの特定の形状中を循環し、収集格子３を通り、それから、収集スペース４を通り、その間隔壁４ａ，４ｂ一杯に流れ、オリフィス１４を経て、。混合室７を貫通する。隔壁４ａ，４ｂの形状は、管状の導入点と、開口１４のある混合室の入り口との間の主流体の流束線Ｆiの経過時間を考慮して設計されている。そして、これら形状は、層への導入部の半径方向の位置いかんにかかわらず、層と収集スペース通る流束線または流体粒子のすべてについてほぼ同一である。混合室７は、例えば間のほぼ中心に配置され、開口１４は、軸Ａにほぼ沿って配置されている。収集スペースの二つの隔壁４ａ，４ｂは、求められる結果を得るように、すなわち様々の流束間の経過時間の差を最小減にするために定められた傾斜を有する。
【０１７７】
様々の流束線の伝播時間を最大限に均一にするために、例えば、層を構成する粒状層の性質を考慮して、収集スペースの形状を最適にすることも可能である。それは、流体と、粒状層を構成する粒子との相互作用により、流束線の伝播速度に影響があるからである。
【０１７８】
この理由は、ＤＭＥの端、したがって、層の外側の隔壁に向かって集められた流体Ｆb は、収集スペースにおいて最大限の距離を覆ってから混合室の開口に達する。中央の流体Ｆc と比べて通路の長さが大きければ、例えば隔壁４ａの傾斜の形状で補われ、この傾斜角は、収集スペースの各点を通過する収集流れの関数として計算される。
【０１７９】
副流体は、主流体と混合するために、注入／抜取室から混合室へ、オリフィス１５を経て通る。こうして造られた混合物Ａ2 は、それから計測されたオリフィス１７を通って排出され、例えば収集スペース８と再配分格子９を含む収集手段によって流状層の第２の層に再配分される。
【０１８０】
種々の流線の間の移動時間の差異を最小にする収集スペースの有利な形状が、主流体の伝播前線に対する引きずり効果を回避する。一つの流動線の他の流動線に対するこの引きずりまたは遅れ効果は、粒状体層を通過することによって得られるクロマトグラフィ分離物の品質に特に有害であり、後戻り混合現象と同等である。
【０１８１】
収集スペースの形状は例えば円錐形であるが、流体の線が管への注入のレベルＮから出発して、混合室の中へ侵入するまでの移動時間を一様にするのに適した形状であれば、どのような形状としてもよい。
【０１８２】
図２６は、別の実施例の図であって、収集格子の形状が移動時間の差異を少なくするように設計されている。例えば、流線Ｆｉによって横切られ、かつＤＭＥの上流側に位置する第１の層の長さは、粒子の層および収集スペースが存在する位置を考慮に入れて、累積通過時間または移動時間が得られるように設計され、その時間は、主流体の総ての粒子について本質的に同じである。
【０１８３】
図２６において、格子３は、例えば円錐型断面かもしくは、ボール形であり、または少なくとも長さの一部分にわたって傾斜面と同様であるか、もしくは層の長さを中央部分において伸長可能の形状であり、そして管の内側における流体の循環経路によって、流線の経路の長さを調整可能の他の如何なる形状とすることもできる。例えば、この実施例の中央位置において、追加の経路の長さＬｉが、各流線Ｆｉに付加される。層の追加長さＬｉは、例えば管の中央から管壁まで漸減する。
【０１８４】
図２７は、他の実施例、すなわち、全ての流体の線Ｆｉが、その経路がコラム内のどの位置にあろうとも、本質的に同一の走行時間を生じるグリッド３と収集室４の組合せの形状の他の実施例についての説明図である。例えば、流体線Ｆｉに横切られる第１層の長さが調節されて、そこに存在する粒状層と収集室を考慮して、主流体の全粒子が実質的に同じ累積走行時間を得るように、ＤＭＥの上方に向かう流れに配置される。
【０１８５】
図２７において、グリッド３は、例えば、円錐形の断面またはボウル状の形状か、または、少なくとも長さ方向の部分に傾斜面に類似の形状を有するか、あるいは、他の如何なる形状でも、流体の線の経路をそれらのコラム内の巡回点によって調節してその中心部において層の長さを延長できるような形状を有する。例えば、付加的な経路長Ｌｉが各流体線Ｆｉ等に加えられる。この実施例では、この層の付加的な長さＬｉは、コラムの中心から端部に向かって減少される。
【０１８６】
さらに、主流体の収集室内の滞留時間を減少するために、この空間の高さｈは、ＤＭＥの中心からＤＭＥの端部に向かって減少し、死体積と走行時間とを減少するように選択されるのが好ましい。
【０１８７】
高さｈは、例えば５ｍｍと５０ｍｍの間になるように選択され、円錐状やボウル状の形状や傾斜壁の場合には、５ｍｍと３０ｍｍの間とするのが好ましい。
【０１８８】
ある場合には、グリッドそのものの形状で十分であろう。
【０１８９】
これによって、いろいろの粒子、または混合室に注入する前の上部層２を通過する巡回線の走行時間のほぼ完全な修正ができる。
【０１９０】
上述の全ての実施例において、収集室は本質的に一定の高さｈを有することができる。
【０１９１】
図２８と２９は、流体の線を収集室４の壁４ａ’と４ｂ’の形状に沿ったいくつかの副流に分離する結合手段である収集室の配置の例を示す図である。
【０１９２】
例としては、図２８に示す装置は、ＤＭＥの軸に沿う管の軸からほぼ等距離にある２つの孔８２と８３を有するＤＭＥのほぼ中心にある収集プレート４に挿入される構成となっている。
【０１９３】
このように、第１の収集は主流体の流れについて行われ、その流れは流れの速度の差を減ずる作用をなす。この理由は、ＤＭＥの端部に向かって還流する流路Ｆbと、ＤＭＥの中心に向かって還流する流路Ｆcは管の中心からと、管の壁の一方からプレート８１へ接線方向に流れ、孔８２または８３を通過する前に、また、プレート８１と、少なくとも混合室７の上壁上に形成された壁４’aと４’bで囲まれた副収集箇所４’に到着する前に、また、混合室７から孔１４に貫入する前に等しい半減された距離を保つ。この実施例では、あな８２と８３はＤＭＥの幅の方向のプレートに沿った路の本質的に１／４と３／４の位置にある。
【０１９４】
プレート８１と２つの孔８２と８３を通過することによる収集との関連はこの装置にない収集器に関する流路間の流速度の差の半分を最小にする。
【０１９５】
図２９に示す他の方法は、収集箇所４に４個の傾斜面９１a、９１b、９１c、９１dを有するプレートを配置することである。
【０１９６】
傾斜面９１a，９１bは、少なくとも通過孔９３有する円錐状のあるいはボウル型の第１の収集箇所９２を形成し、傾斜面９１cと９１dは、少なくとも一つの通過孔９４を有するダイン２の収集箇所９２’を形成する。
【０１９７】
通過通過孔９３、９４は傾斜面９１aと９１dに延びている壁４’aと４bで区切られている空間４’と通じている
主流体流は、少なくとも第１段が傾斜が均等になっている傾斜面に沿って還流し、孔９３、９４を通過する前の各種の流路の流れ時間が、壁４’aと４’bの壁の形によって影響される短縮化の最後の段階となる。
【０１９８】
本発明の好ましい実施例に従うと、ＤＭＥはさらに孔１７を通して混合室７から送出された混合物を再配送する箇所８を有し、その形は形成された全ての流路、あるいは粒子が殆ど同時にＤＭＥの下流のベッド１０に到着するように好ましい設計になっている。孔１７に対応するポイントから収集グリッド９までの全ての流路の流れ時間はほぼ等しい。
【０１９９】
また、再配送箇所は、図２５、２６、２７、２８、２９に示す収集箇所のいずれかに同等であることが特徴である。
【０２００】
再配送箇所は、空き空間と乱流を最小にするために収集箇所と同じ形と位置とを有している。その高さは、例えば、５〜５０ｍｍ、好ましくは５〜３０ｍｍで、さらには１５〜２０ｍｍがよく、どんな形をしていてもよく、例えば、矩形でも、円錐形でもよい。
【０２０１】
その高さは本質的に一定か、漸次低くなるのがよく、例えば、ＤＭＥの中心から始まって端部に及ぶのがよく、それが、空き空間と流れ時間を短縮する。
【０２０２】
図３０において、混合物の再配分手段は、例えば混合室７の一部として形成された例えば２面の傾斜した壁面８ａ、８ｂ、および注入および／または抜取り室５、６の壁面、ならびに第２の層１０の真上にある回収格子９、あるいはこの装置に回収格子がない場合には第２の層によって範囲を決められた再配分スペース８から構成される。
【０２０３】
再配分スペースの形状は、例えば図２５に関連して上述された回収スペースの形状と実質的に同一に決められる
【０２０４】
再配分スペースは、使用されない容積を最低にし乱流を作らないように設計することが望ましい。その高さは例えば５〜５０ｍｍの範囲であり、５〜３０ｍｍが望ましく、各種の形状、例えば長方形であったり円錐形であってもよい。
【０２０５】
図３１、図３２は、混合室から第２の層へ導入の位置までの流束線の各工程時間の差を最小にすることに効果のある再配分格子９の形状と再配分スペース８の形状の２つの実施態様を示す。
【０２０６】
図３２は、再配分スペースの高さｈがＤＭＥの中心から始まってその縁に向けて連続して減少する実施態様であり、使用されない容積と工程時間の差を最低にする。
【０２０７】
図３３、図３４は、図２８、図２９の回収スペースの配置と実質的に同一な再配分スペースの特殊な配置を示す。
【０２０８】
図３５、図３６、図３７および図３８では、図４、図７、図１０および図１１説明したＤＭＥの実施態様が図式的に示され、そこでは混合室に流入前の流束線と混合室から出てＤＭＥの下流に配置された第２の粒状体層中に流入を続ける流束線との間の各工程時間の差を最小にするように設計された回収および再配分スペースの形状と幾何学的配列に特に差異がある。
【０２０９】
勿論、しっかりした断面を有する管の場合には、ＤＭＥの配列や形状は国際出願ＷＯ−９５／０３８６７に記載された実施態様の一つから選択することができる。
【０２１０】
混合室は、例として図４４、図４５に模式的に示したように、大体において一般に直線で、曲線で、あるいは角度を持った形状で少なくとも一つの部分から延長することが可能である。
【０２１１】
図４６、図４７、図４８、図４９および図５０は、混合室の特殊な形状の詳細な５つの例を示す。すべてのこれらの例において、形状の選択は混合室の混合機能を最適にするための重要な目標である。
【０２１２】
図４６において混合室７は、一例としての部分（５ａ、５ｂ、５ｃ、５ｄおよび５ｅ）を有する注入および／または抜取り室５との第１の共通壁、並びに一例として五つの部分（６ａ、６ｂ、６ｃ、６ｄおよび６ｅ）で構成される注入および／または抜取り室６との第２の共通壁とを備える。
【０２１３】
混合室７は、例えばそれぞれが上方壁１２、１３と注入および／または抜取り室５、６の下方壁との延長位置に位置する上方壁および下方壁を有し、注入および／または抜取り室５、６は、それぞれ上方壁は回収グリッド３、管の外壁、および回収スペース４で区画され、一方下方壁は再配分グリッド９、管の外壁、再配分スペース８で区画される。混合室７の上部壁は、例えば粒状層の主層を通過してＤＭＥの下流に循環する主流体の通路となる一つもしくはそれ以上のオリフィスＯｐを備え、下部壁は前記混合室７の内部で生成した混合または再混合流体を配分スペースに向けて排出可能とするための一つもしくはそれ以上のオリフィスＯｍを備える。
【０２１４】
注入室および／または抜き取り室５、６および混合室７のそれぞれに共通する壁は、１以上のオリフィスＯｉ（インデックス“ｉ”は、例えば、１つの注入および／または抜き取り室と混合室との間を通過させる２次流体、例としては主流体および／または種々の２次流体Ｂ1，Ｂ2の数に対応する）を備えている。
【０２１５】
そこで、例えば、部分５は１つのオリフィスまたは一連のオリフィスを有し、その軸は、例えば、注入および／または抜き取り室５から到来する第１の２次流体Ｂ1が、例えばオリフィスの方位軸とほぼ向き合うように配置された壁（例えば６ａ，６ｂ）である、混合室７と第２の注入および／または抜き取り室６とに共通な壁の固体部分６に当るように方位を定められている。
【０２１６】
混合室７と第２の注入および／または抜き取り室６とに共通の壁は、例えばその固体部分６ｃに１つ以上のオリフィスＯ2を有しており、その軸方向は同様に、第２の注入および／または抜き取り室から到来する第２の２次流体が、混合室と第１の注入および／または抜き取り室とに共通の壁の固体壁５ｅに当るように配位されている。
【０２１７】
流体は壁に当れば、主流体又は混合室内を循環する流体中に分散する。この方法により、室内の流体の混合は効果的に行われる。
【０２１８】
注入および／または抜き取り室と混合室とに共通の壁の形状は、室内を循環する流体または混合液に対して循環流路を通じて混合作用に有利な特別の流路を形成するように選択される。
【０２１９】
そこで、開口Ｏｐを通って注入された主流体は、ほぼ平行な壁６ａ，５ａおよび壁５ｂにより区画された室の第１の帯域Ｚ1中を循環し、壁５ｂは壁５ａとほぼ９０°の角度で延びて、主流路の流通帯域の幅をほぼ平行な２つの壁５ｃおよび６ａの間に限定するように狭めている。導通管１２から流入された第１の主流体はＢ1は第１の注入および／または抜き取り室５内へ流れ、次に、例えば、第１の共通壁の部分５ｃにあるオリフィスＯ1を通して注入室７に向って注入される。オリフィスすなわちオリフィスＯ1の方位は、第１の２次流体Ｂ1が主流体の流れ方向とほぼ直角の方向に注入されるように、また、第１の壁と向き合う第２の共通壁の固体部分に当った後、オリフィスを通る流体は室内の循環流の中に分散する。この分散作用は室内に乱流現象を生じさせ、混合室内にある主流体および／または各流体との混合効果を最適化する。少なくとも壁５ｄ，５ｅ，５ｆおよび６ｂ，６ｃ，６ｄ，６ｆならびに下部および上部壁７ｉ，７ｓにより区画された混合室の形状は、このように生成される混合物をよりよいものとするように都合よく選択される。
【０２２０】
部屋の内部の第２の２次流の注入は例えば実際的に同じ原理によるが１次流の注入の順序に影響する。
【０２２１】
従って、事実上同じようにして、上記に示した流路と同様の流路に沿って主流体の循環流により、第２の２次流は、混合部屋を貫通しているコンジット１３、例えば、混合室の第２の共通壁の一部６ｃにある１つまたは複数のオリフィスＯ2 を通して、注入および／または抜取り室６に導かれる。この第２の流れは、例えばその部屋を循環している流れに分散する前に第１の共通壁の固形部５ｅに衝突する。
【０２２２】
その結果主たる流の混合物Ａ2 と少なくとも２次流のＢ1 、Ｂ2 の混合物であオリフィスＯm を経て、ＤＭＥの下流に位置する顆粒上の固形の第２の底における再分配所８あるいは再分配グリット９を通して分配される以前に、混合部屋に残る。 
【０２２３】
混合室と共通の５i 部（５a 、５b ・・）と６i 部（６a 、６b ・・）は互いに接続され、混合室の上部壁および下部壁とともに混合スペースあるいは混合室を形成するように延びている。混合スペースあるいは混合室は数種類の流れあるいはその再混合に対して最適化されている。
【０２２４】
混合室への注入または混合室からの抜取りのためのオリフィスの軸の方向は、２次流が割り当てられていない部屋に通じているオリフィスを通した２次流の通過を避けるように選ばれるのが有利である。これによって、単一の注入および／または抜取り回路が種々の流体に共通に使用される場合と比べて、違った性質の２次流の使用より生じる注入および／または抜取り回路（混合室と関連するコンジット）の汚染を避けることができる。
【０２２５】
混合部屋７のインレットオリフィスＯp は、例えば目盛りの付いた穴あるいは細長い穴であり、好ましくは普通、できるだけ均一になるように混合部屋７に向かって、主たる流の収集に影響する所に置かれている。
【０２２６】
これらのオリフィスのサイズと寸法は、流が混合部屋の入口点で、内部攪流の生成と、同時に混合部屋の内部で限定される攪流により生ずる圧力低下のため、有利な速度とを持っている。
【０２２７】
この様に、流Ａ1 インレットオリフィスＯp 間の配置は、例えば、３０と１５０ｍｍの間で、５０から１００ｍｍの間が好ましい。この様な配置により得られるオリフィスを通して流の流速は、例えば、１から５m/s まで変化し、２から３m/s が好ましい。従って、オリフィスのアウタレットに生じる圧力低下は１０と１００g/cm2 の間で、３０と６０g/cm2 の間が好ましい。
【０２２８】
混合部屋から流のアウタレットの通路Ｏm は、例えば、穴あるいはスロットのシリーズによって形成され、通常は、混合部屋からの流の再配分のため再配分所８にできる限り均一になるよう配置されるのが好ましい。この流は少なくとも主たる流から少なくとも２次流によってもたらされる。
【０２２９】
この様に、混合部屋からきて再配分所８、従ってグリッド９を通過する流の収集と固有の配分はこのグリッドが存在するとき最適になる。
【０２３０】
混合部屋７に配置されているインレットとアウタレットオリフィスＯp とＯm は、交互に配置され、あるいは主たる流Ａ1 と混合された２次流Ｂ1 とＢ2 との横方向の攪伴が千鳥に配置するのが好ましい。これらのオリフィスは、例えば、同じ間隔を持った配置で、できる限り均一になるよう、配置されることが好ましい。
【０２３１】
同様に、これらのオリフィスの配列は、室内におけるノズルの、すなわちベンチュリーの効果が、たとえば、混合室内において流体の高速の循環を起すことを防ぐように選定される。
【０２３２】
２次流体Ｂ1，Ｂ2の導入又は取出し用のオリフィスＯ1，Ｏ2は、たとえば、好ましくは等間隔に配列された一連の孔により形成されて、これら２次流体を可能な限り一様に混合室Ｍ内へ注入そして又は混合室から取出すようになっている。これらオリフィスは、混合室の入口へ注入される流体の線速度が混合室内で乱流を起こし、そして相当な圧力降下を生ずるように充分高くなるように調整された寸法を決められることが好ましい。
【０２３３】
オリフィスＯ1，Ｏ2を通る流体の流量はたとえば１−１５ｍ／ｓ好ましくは５−１０ｍ／ｓである。孔の間隔は、たとえば３０−１５０ｍｍで、５０−１００ｍｍであることが望ましい。これに相当する圧力降下は１００−２０００ｇ／ｃｍ2であり好ましくは２００−１０００ｇ／ｃｍ2である。
【０２３４】
これらのオリフィス、すなわち一連の注入、そして又は取出し用のオリフィスＯ1，Ｏ2は、たとえば、入口オリフィスＯpに対して、混合室内を循環する主流体にこれらオリフィスの１つを通って注入された流体が混合され、そして２個の出口オリフィスＯmに供給されるように配置されることが望ましい。そしてこれらオリフィスＯmは、オリフィスＯp，Ｏ1，Ｏ2に対して、たとえば、交互に、又は食い違うように配列される。
【０２３５】
注入、そして又は取出し用の室５、６の形状、寸法は、全ての出口オリフィスの流体の流量が略等しくなるように選定される。たとえば、これらの室の展開長さと平均又は相当幅の比は３０未満、好ましくは２０未満、更に好ましくは１０未満である。
【０２３６】
その上、これらの室の寸法は、２次流体が壁の固体部分に衝突して室内を循環する流体内で拡散して混合されるように設計されている。
【０２３７】
他の実施例によれば、図４７記載のように、混合室の上部壁７ｓには、たとえば、少くとも２連のオリフィスＯp'，Ｏ'pが設けられ、これらオリフィスは、たとえば、混合室の略全長に亘り配列され、そして、前述のオリフィスと実施例と実質的に同じ特性をもっている。
【０２３８】
この実施例においては、混合室７はＤＭＥの中心軸に対して実質的に対称であって、そして、ＤＭＥの軸に略沿ってそれぞれ延びる部材６ａ，５ａを有する２つの壁から形成され、そして、混合室Ｍの第１の領域Ｚ1の幅を狭めるように壁６ｂ，５ｂにより延長されている。壁６ｂ，５ｂはそれ自体、それぞれＤＭＥの長さ方向の幅に略平行な方向に、壁６ｃ，５ｃによって延長されており、これにより、たとえばダクト状の第２の領域Ｚ2が形成されている。領域Ｚ2は、壁６ｅ，５ｅにより延長された壁６ｄ，５ｄにより形成された領域Ｚ3により延長されている。連続する２つの壁の間の角度は、たとえば略９０°に等しい。
【０２３９】
この３個の混合室Ｚ1，Ｚ2，Ｚ3のグループは、いくつかの流体の混合、又は室内の１つの流体の再混合を最適化するように寸法を決められ、形状を決められた混合空間すなわち混合室を形成している。
【０２４０】
隔壁６Ｃおよび５Ｃには、混合室と、注入または抜取り室の間に液体を通す１つ以上の一連のオリフィスＯ1 ，Ｏ2 が設けられている。
【０２４１】
主流体、副流体、およびいくつかの副流体と主流体の混合または他の副流体がＤＭＥの中に注入された時に室内で再混合された流体など各種の流体の通過するオリフィスは、例えば図１に関連して上に述べたオリフィスによって定まる特性と概ね同じ特性を有する。
【０２４２】
少くとも、ゾーンＺ2 、Ｚ2 およびＺ3 の１つは乱流促進手段を装備することが可能である。
【０２４３】
図４８は本発明に従う装置の１つの変形の概要を示しており、再配分スペース８に、望ましくは例えば反対側の出口オリフィスかまたはオリフィスＯm に位置するスプラッシュ防止プラグＢのような手段が装備されている。
【０２４４】
スプラッシュ防止プラグの形状、サイズは混合室の下方隔壁に配されている出口オリフィスＯm の数と配分に従って調整される。
【０２４５】
このような構造は液体がＤＭＥの下流に位置する粒状層１０に直接当ることを防止する。
【０２４６】
さらに、混合室から再配分スペース８の中に流入する流体の放射状の配分も改善される。
【０２４７】
本発明の構成から逸脱することなしに、スプラッシュ防止プラグまたは同一の機能を有するいずれかの手段は例えば流体入口オリフィスの概ね軸上の集合スペースに、望ましくは入口オリフィスに向い合って配置される。このスプラッシュ防止プラグは、特に集合スペース内の集合グリッドから液体の配分を拡散する効果を有する。
【０２４８】
これにより、粒状層の第１層の近傍における顕著な乱流現象を防止し、主流体の集合を助ける。
【０２４９】
同様の効果が達成できる別の実施例が、図４９及び５０に略図で示されている。
【０２５０】
図４９において、混合室７に対して共通で、注入そして／または抜取り室５，６に共通な第１と第２の隔壁の少なくともそれらの高さの一部分が、再配分スペース８の中に延びている。
【０２５１】
複数のオリフィス又は一連のオリフィスＯm1及びＯm2が、本実施例の中で第１及び第２の共通隔壁の各々の延長部分上に、例えば両側に位置している。
【０２５２】
このようにして、混合室からやって来る流体又は混合物は、再配分スペースの中で分配される前に、二つの流れに分けられる。このことによって、流体が再配分格子を通過する前に、より良く配分されることを可能ならしめ、そしてＤＭＥの下流の層の中に導入される。
【０２５３】
図５０において、再配分スペースの内側に延びている共通隔壁の一部分が、ＤＭＥの軸に対して傾斜している。
【０２５４】
本発明の構成から逸脱することなしに、混合室の共通隔壁を、収集スペースの内側に延長して造りうることが理解されるであろう。
【０２５５】
これらの隔壁は、オリフィスＯm1及びＯm2として説明したものと本質的に同一の特性を有する入口オリフィスを具備する。同様にして、例えばこれらの隔壁の形状及びＤＭＥ軸に対する位置は、例えば図５０で説明した基準と本質的に同一な基準に合致している。
【図面の簡単な説明】
【図１】副流体の２つの注入および／または抜取り回路を含むＤＭＥの略図である。
【図２】副流体の２つの注入および／または抜取り回路を含むＤＭＥの略図である。
【図３】副流体の２つの注入および／または抜取り回路を含むＤＭＥの略図である。
【図４】注入および／または抜取り回路の一部をなす副流体の注入および／または抽出導管を設置する可能性を示す。
【図５】注入および／または抜取り回路の一部をなす副流体の注入および／または抽出導管を設置する可能性を示す。
【図６】注入および／または抜取り回路の一部をなす副流体の注入および／または抽出導管を設置する可能性を示す。
【図７】独立している３つの注入および／または抜取り回路を含む本発明のＤＭＥの実施例を示す。
【図８】４つの注入および／または抜取り回路とこれに連結している注入および／または抽出導管の配置とを含むＤＭＥの実施例の略図である。
【図９】混合室が２つの副混合室に分割されている変形実施例の略図である。
【図１０】独立している５つの注入および／または抜取り回路を含む本発明のＤＭＥの実施例を示す。
【図１１】副流体の複数の注入および／または抜取り回路が混合室の同一の側に配置されているＤＭＥの変形実施例を示す。
【図１２】管内の室の数とその位置によって異なる注入および／または抽出導管の１分布例を示す。
【図１３】管内の室の数とその位置によって異なる注入および／または抽出導管のもう１つの分布例を示す。
【図１４】管内の室の数とその位置によって異なる注入および／または抽出導管の更にもう１つの分布例を示す。
【図１５】管内の室の数とその位置によって異なる注入および／または抽出導管のまた別の分布例を示す。
【図１６】物理的な強度を高めることができるＤＭＥの支持手段を備えている、断面の大きい管のための幾つかのＤＭＥの１つの配置を示す。
【図１７】物理的な強度を高めることができるＤＭＥの支持手段を備えている、断面の大きい管のための幾つかのＤＭＥのもう１つの配置を示す。
【図１８】物理的な強度を高めることができるＤＭＥの支持手段を備えている、断面の大きい管のための幾つかのＤＭＥの配置を示す。
【図１９】断面の大きい管の内部における幾つかのＤＭＥの配置とＤＭＥ間の密封手段の略図である。
【図２０】副流体の注入および／または抜取り室に接続されている予備室を含むＤＭＥの断面図を示す。
【図２１】副流体の注入および／または抜取り室に連結されている予備室を含むＤＭＥの上面図を示す。
【図２２】注入および／または抜取り室とこれに連結されている予備室の配置の１変形を示す。
【図２３】注入および／または抜取り室とこれに連結されている予備室の配置のもう１つの変形を示す。
【図２４】注入および／または抜取り室とこれに連結されている予備室の配置の更にもう１つの変形を示す。
【図２５】上層と収集スペースを通過する異なる流体線の行程時間の差を最小にするのに適している主流体の収集スペースを含む図１の変形を示す。
【図２６】収集スペースのための１構造の略図である。
【図２７】収集スペースのためのもう１つの構造の略図である。
【図２８】収集スペースのための更にもう１つの構造の略図である。
【図２９】収集スペースのためのまた別の構造の略図である。
【図３０】再配分スペースの採り得る１つの形態を表す。
【図３１】再配分スペースの採り得るもう１つの形態を表す。
【図３２】再配分スペースの採り得る更にもう１つの形態を表す。
【図３３】再配分スペースの採り得るまた更にもう１つの形態を表す。
【図３４】再配分スペースの採り得るまた別のもう１つの形態を表す。
【図３５】図７のＤＭＥの収集スペースと再配分スペースの構造のための実施例の１つの変形の略図である。
【図３６】図７のＤＭＥの収集スペースと再配分スペースの構造のための実施例のもう１つの変形の略図である。
【図３７】図１０のＤＭＥの収集スペースと再配分スペースの構造のための実施例の１つの変形の略図である。
【図３８】図１１のＤＭＥの収集スペースと再配分スペースの構造のための実施例の１つの変形の略図である。
【図３９】図４に示されているＤＭＥの実施例の変形を示す。
【図４０】図８に示されているＤＭＥの実施例の変形を示す。
【図４１】図２０に示されているＤＭＥの実施例の変形の略図である。
【図４２】図２２に示されているＤＭＥの実施例の変形の略図である。
【図４３】図２３に示されているＤＭＥの実施例の変形の略図である。
【図４４】注入および／または抜取り室に対して可変の形態を有するＤＭＥの実施例の１つの変形を示す。
【図４５】注入および／または抜取り室に対して可変の形態を有するＤＭＥの実施例のもう１つの変形を示す。
【図４６】その形態が混合機能を最適化するのに適している混合室を有するＤＭＥを示す略図である。
【図４７】混合室は、下流で循環している幾つかの組の入口を備えている実施例のもう一つ別の変形を示す。
【図４８】再配分スペースのある位置に配置されているスプラッシュよけのような機械的手段に連結している本発明の装置の実施例の変形の略図である。
【図４９】本装置の上流に配置されている再配分スペースの少なくとも１部にその２つの隔壁が延びている混合室の実施例の１変形の略図である。
【図５０】本装置の下流に配置されている再配分スペースの少なくとも１部にその２つの隔壁が延びている混合室の実施例のもう１つの変形の略図である。
【符号の説明】
Ａ1   主流体
Ａ2   主流体
Ｂ1   副流体
Ｂ2   副流体
Ｂ3   副流体
Ｄ    流入口
Ｅ    排出口
Ｐ    ビーム
ＰC   支持材
１    管
２    第１の粒状体層
３    収集格子
４    収集スペース
５    注入および／または抜取り室
５ａ  共通隔壁
６ａ  共通隔壁
６    注入および／または抜取り室
７    混合室
７ａ  副混合室
７ｂ  副混合室
８    再配分スペース
９    再配分格子
１０    第２の粒状体層
１２    導管
１３    導管
１４    入口
１５    開口
１６    開口
１７    出口
２０    導管
２１    導管
３０    注入および／または抜取り室
３１    注入および／または抜取り室
３２    開口
３３    開口
３４    注入および／または抜取り室
３５    開口
４０    注入および／または抜取り室
４１    導管
４２    注入および／または抜取り室
４３    導管
４４    注入および／または抜取り室
４５    導管
４６    注入および／または抜取り室
４７    導管
６０    混合室
６１    入口
６２    出口
６３    注入および／または抜取り室
６４    注入および／または抜取り室
６５    開口
６６    開口
【図１】
0004149533.tif 000002
【図２】
0004149533.tif 000003
【図３】
0004149533.tif 000004
【図４】
0004149533.tif 000005
【図５】
0004149533.tif 000006
【図６】
0004149533.tif 000007
【図７】
0004149533.tif 000008
【図８】
0004149533.tif 000009
【図９】
0004149533.tif 000010
【図１０】
0004149533.tif 000011
【図１１】
0004149533.tif 000012
【図１２】
0004149533.tif 000013
【図１３】
0004149533.tif 000014
【図１４】
0004149533.tif 000015
【図１５】
0004149533.tif 000016
【図１６】
0004149533.tif 000017
【図１７】
0004149533.tif 000018
【図１８】
0004149533.tif 000019
【図１９】
0004149533.tif 000020
【図２０】
0004149533.tif 000021
【図２１】
0004149533.tif 000022
【図２２】
0004149533.tif 000023
【図２３】
0004149533.tif 000024
【図２４】
0004149533.tif 000025
【図２５】
0004149533.tif 000026
【図２６】
0004149533.tif 000027
【図２７】
0004149533.tif 000028
【図２８】
0004149533.tif 000029
【図２９】
0004149533.tif 000030
【図３０】
0004149533.tif 000031
【図３１】
0004149533.tif 000032
【図３２】
0004149533.tif 000033
【図３３】
0004149533.tif 000034
【図３４】
0004149533.tif 000035
【図３５】
0004149533.tif 000036
【図３６】
0004149533.tif 000037
【図３７】
0004149533.tif 000038
【図３８】
0004149533.tif 000039
【図３９】
0004149533.tif 000040
【図４０】
0004149533.tif 000041
【図４１】
0004149533.tif 000042
【図４２】
0004149533.tif 000043
【図４３】
0004149533.tif 000044
【図４４】
0004149533.tif 000045
【図４５】
0004149533.tif 000046
【図４６】
0004149533.tif 000047
【図４７】
0004149533.tif 000048
【図４８】
0004149533.tif 000049
【図４９】
0004149533.tif 000050
【図５０】
0004149533.tif 000051